(57)【要約】      （修正有）【課題】多芯導線の分散する端部を束ねて集中させることで、端子における入線孔への組立てを容易にする接続端子の挿線用補助ケースの提供。【解決手段】接続端子の挿線用補助ケース構造であり、頭部、中間部及び尾部が順に連接し合うことで補助ケース１を構成し、中間部１２と尾部１３が端子装置における入線孔８１内に組み立てられる。頭部、中間部及び尾部の内部には貫通式の導引孔１５が設けられ、頭部における中間部から離れた側での導引孔の部分的な傍側には集線部１４が凸設され、集線部の導引孔に向く側には、導引孔と連通する凹導槽１４１が凹設される。凹導槽がサイドに比較的大きな曲率の半径を有する二つの外弧槽から、比較的小さな曲率の内弧槽を、中間底面に向かって徐々に形成する。凹導槽が多芯導線における分散する導体端部を外側から内側に向かって徐々に収束し、迅速に線を集合させて導引孔経由で入線孔内に貫入させられるので、作業の利便性に寄与する挿線補助の構造が獲得される。【選択図】図３
0003225464.tif 000002
【実用新案登録請求の範囲】
【請求項１】
接続端子の挿線用補助ケース構造であり、少なくとも一つの補助ケースモジュールを含み、前記補助ケースモジュールが少なくとも一つの補助ケースにより構成され、前記補助ケースの内部には貫通式の導引孔が設けられ、前記導引孔の一端の部分的な傍側には集線部が凸設され、前記集線部の前記導引孔に向く側には、前記導引孔と連通する凹導槽が凹設されることを特徴とする、接続端子の挿線用補助ケース構造。
【請求項２】
前記凹導槽が、サイドに比較的大きな曲率の半径を有する二つの外弧槽から、比較的小さな曲率の半径の内弧槽を、中間底面に向かって徐々に形成することを特徴とする、請求項１に記載の接続端子の挿線用補助ケース構造。
【請求項３】
前記集線部の前記導引孔から離れた一端において凹部が備えられることを特徴とする、請求項１に記載の接続端子の挿線用補助ケース構造。
【請求項４】
前記補助ケースが、両端に位置する頭部と、尾部と、前記頭部及び前記尾部を連接する中間部とを備え、前記導引孔において前記中間部と前記尾部とが連接する区域が内縮する錐状構造を形成し、前記尾部が前記中間部から凸出し、且つ前記中間部が前記尾部の断面積より大きい断面積を有し、前記尾部が、前記導引孔の周辺区域に位置する二つの側辺を有し、前記二つの側辺の間において一つのノッチ構造を定義し、前記補助ケースモジュールが複数の並列する前記補助ケースの設置により、前記頭部の相互連接を通じた組み合わせ構造を形成することを特徴とする、請求項１乃至３の何れかに記載の接続端子の挿線用補助ケース構造。
【請求項５】
前記頭部における前記中間部に向く側の辺縁には凹ノッチが設けられ、前記頭部が横向きに凸伸する側凸部を備え、前記側凸部の前記中間部に向く側には下斜面が設けられることを特徴とする、請求項４に記載の接続端子の挿線用補助ケース構造。
【請求項６】
前記集線部の前記凹導槽から離れた側において、文字ナンバリングモジュールを有する標示面が設けられ、前記文字ナンバリングモジュールが、前記標示面の上に直接プリントされる文字ナンバリングであることを特徴とする、請求項１乃至５の何れかに記載の接続端子の挿線用補助ケース構造。
【請求項７】
前記集線部の前記凹導槽から離れた側において、文字ナンバリングモジュールを有する標示面が設けられ、前記標示面の相対する両側がそれぞれ導滑槽を備え、前記文字ナンバリングモジュールが、文字ナンバリングがプリントされる標示板であり、前記標示板の両側がそれぞれ二つの前記導滑槽内に伸入することで定位を形成することを特徴とする、請求項請求項１乃至５の何れかに記載の接続端子の挿線用補助ケース構造。
【請求項８】
前記頭部の傍側には少なくとも一つの側翼部が横設され、前記側翼部の少なくとも一つの脇には、サイド文字ナンバリングモジュールを有するサイド標示面が設けられ、前記サイド文字ナンバリングモジュールが、前記サイド標示面の上に直接プリントされる文字ナンバリングであることを特徴とする、請求項４または５に記載の接続端子の挿線用補助ケース構造。
【請求項９】
前記頭部の傍側には少なくとも一つの側翼部が横設され、前記側翼部の少なくとも一つの脇には、サイド文字ナンバリングモジュールを有するサイド標示面が設けられ、前記サイド標示面の相対する両側がそれぞれサイド導滑槽を備え、前記サイド文字ナンバリングモジュールが、文字ナンバリングを有するサイド標示板であり、且つ前記サイド標示板の両側がそれぞれ二つの前記サイド導滑槽に伸入することで定位を形成することを特徴とする、請求項４または５に記載の接続端子の挿線用補助ケース構造。
【請求項１０】
少なくとも二組の前記補助ケースモジュールを含み、各前記補助ケースモジュールの間に連接部が備えられ、前記連接部が各前記補助ケースモジュールにおける前記補助ケースの前記頭部を連接することを特徴とする、請求項８または９に記載の接続端子の挿線用補助ケース構造。
【考案の詳細な説明】
【技術分野】
【０００１】
本考案は、接続端子の挿線用補助ケース構造に関し、特に、多芯導線の分散する端部を束ねて集中させることで、端子における入線孔への組立てを容易にする補助ケース構造を言う。
【背景技術】
【０００２】
一般の開閉端子または接続端子のシステムでは、異なる線径の導線を挿入して接合するために、入線孔の孔径が明らかに導線の線径より大きくなるように設計されており、挿線作業が行いやすくなっている。但し実際の応用において以下の問題が見られる。
【０００３】
１．入線孔の孔径が明らかに導線の線径より大きいと、外部の粉塵や水分が端子内に侵入して堆積しやすく、当該端子と導線間の導電効果に影響を及ぼしうる。
【０００４】
２．入線孔の孔径が明らかに導線の線径より大きいと、導線が当該入線孔に挿入された後大きめの偏移空間を有することになるので、導線が外力の作用によって偏移、揺動して接触不良等の安全にかかわる問題を生じやすい。
【０００５】
上述した問題の解決策として、図１及び図２に図示されるように、比較的大きい孔径の入線孔に、明らかに比較的小さい線径の導線に用いる補助ケース７の構造が使用されることがある。当該補助ケース７の両端部分にはそれぞれ頭部７１、尾部７３、そして頭部７１と尾部７３との間に位置する中間部７２が備えられ、また頭部７１、中間部７２及び尾部７３は導線を挿入する導引孔７５を共同で定義する。使用時には補助ケース７の中間部７２と尾部７３を端子装置８（開閉端子または接続端子とすることができる）における入線孔８１内に挿入し、補助ケース７の導引孔７５による導引を通じて外部の（多芯）導線９を入線孔８１に伸入させ、更に入線孔８１内部の接点で電気的接続を形成する。ゆえに当該周知技術の比較的小さい線径の（多芯）導線９を比較的大きい孔径の入線孔８１内に伸入する場合の偏移、揺動がしやすい問題が解決される。
【考案の概要】
【考案が解決しようとする課題】
【０００６】
しかし、多芯導線９を用いて配線を行う場合、大抵は多芯導線９のおける外部の絶縁体を取り払った後に、その各導体端部９１が分散して導引孔７５内への挿入がしにくい状況が発生してしまう（図２参照）。そのため作業者はまず多芯導線９を手で握っておき、もう片方の手または工具等で多芯導線９の分散する導体端部９１を束ねて集合させることで、多芯導線９を導引孔７５内へ挿入させる必要があるため、作業がしにくく時間を費やすこととなる。
【０００７】
故に、考案者は上述した補助ケースの構造上の問題を解決するために、研究を経て本考案の開発に至った。
【課題を解決するための手段】
【０００８】
本考案の主要目的は、接続端子の挿線用補助ケース構造の提供である。接続端子の挿線用補助ケース構造は、補助ケースにおける導引孔の一端の傍側において集線部を凸設する。集線部の導引孔に向く側は凹導槽を凹設する。凹導槽は、比較的大きな曲率の半径を有する二つのサイドから、比較的小さな曲率の半径の部位を、中間底面に向かって徐々に形成し、これにより凹導槽は多芯導線における分散する導体端部を外側から内側に向かって徐々に収束することができるので、その導引孔への貫入が便利になる。故に効率的かつ簡単な多芯導線の挿線作業が、及び当作業効率の向上が達成される。
【０００９】
本考案の他の目的は、接続端子の挿線用補助ケース構造の提供において、前記集線部の凹導槽から離れた側に標示面を形成し、且つ標示面上には文字ナンバリングを有する文字ナンバリングモジュールが設けられることである。故に対応する各導引孔及び導線を標示して判別容易性を向上させる。
【００１０】
本考案の更なる目的は、接続端子の挿線用補助ケース構造の提供において、補助ケースの集線部に近接する一端の傍側において側翼部を横向きに凸設し、側翼部の少なくとも一つの側面上において標示面を備えることである。標示面上には文字ナンバリングを有する文字ナンバリングモジュールが設けられるので、前述した標示面上に文字ナンバリングモジュールを設けるものとは異なる標示形態により、異なる判別効果を達成する。
【００１１】
上述した目的と効果を達成するため、本考案が採用する技術手段は、少なくとも一つの補助ケースモジュールを含み、前記補助ケースモジュールが少なくとも一つの補助ケースにより構成され、前記補助ケース内部には貫通式の導引孔が設けられ、前記導引孔の一端の部分的な傍側には集線部が凸設され、前記集線部の前記導引孔に向く側には、前記導引孔と連通する凹導槽が凹設される。
【００１２】
上述の構造を基に、前記凹導槽が、サイドに比較的大きな曲率の半径を有する二つの外弧槽から、比較的小さな曲率の半径の内弧槽を、中間底面に向かって徐々に形成する。
【００１３】
上述の構造を基に、前記補助ケースが、両端に位置する頭部と、尾部と、前記頭部及び前記尾部を連接する中間部とを備え、前記導引孔において前記中間部と前記尾部とが連接する区域が内縮する錐状構造を形成し、前記尾部が前記中間部から凸出し、且つ前記中間部が前記尾部の断面積より大きい断面積を有し、前記尾部が、前記導引孔の周辺区域に位置する二つの側辺を有し、前記二つの側辺の間において一つのノッチ構造を定義し、前記補助ケースモジュールが複数の並列する前記補助ケースの設置により、前記頭部の相互連接を通じた組み合わせ構造を形成する。
【００１４】
上述の構造を基に、前記集線部の前記導引孔から離れた一端において凹部が備えられる。
【００１５】
上述の構造を基に、前記集線部の前記凹導槽から離れた側において、文字ナンバリングモジュールを有する標示面が設けられ、前記文字ナンバリングモジュールが、前記標示面の上に直接プリントされる文字ナンバリングである。
【００１６】
上述の構造を基に、前記集線部の前記凹導槽から離れた側において、文字ナンバリングモジュールを有する標示面が設けられ、前記標示面が、相対する両側にそれぞれ導滑槽を備え、前記文字ナンバリングモジュールが、文字ナンバリングがプリントされる標示板であり、前記標示板が、両側がそれぞれ二つの前記導滑槽内に伸入することで定位を形成する。
【００１７】
上述の構造を基に、少なくとも二つの前記補助ケースモジュールを含み、各前記補助ケースモジュールの間に連接部が備えられ、前記連接部が各前記補助ケースモジュールにおける前記補助ケースの頭部を連接する。
【００１８】
上述の構造を基に、前記頭部における前記中間部に向く側の辺縁には凹ノッチが設けられ、前記頭部が横向きに凸伸する側凸部を備え、前記側凸部の前記中間部に向く側には下斜面が設けられる。
【００１９】
上述の構造を基に、前記頭部の傍側には少なくとも一つの側翼部が横設され、前記側翼部の少なくとも一つの脇には、文字ナンバリングモジュールを有する標示面が設けられ、前記文字ナンバリングモジュールが、前記標示面の上に直接プリントされる文字ナンバリングである。
【００２０】
上述の構造を基に、前記頭部の傍側には少なくとも一つの側翼部が横設され、前記側翼部の少なくとも一つの脇には、文字ナンバリングモジュールを有する標示面が設けられ、前記標示面が、相対する両側にそれぞれ導滑槽を備え、前記文字ナンバリングモジュールが、文字ナンバリングを有する標示板であり、前記標示板の両側がそれぞれ二つの前記導滑槽内に伸入することで定位を形成する。
【００２１】
本考案の上述した目的、効果および特徴への更に具体的な理解に資するため、以下に図面と合わせて詳細な説明を行う。
【図面の簡単な説明】
【００２２】
【図１】周知の補助ケースの構造が、関連する端子装置に組み合わされる前の位置を示す図である。
【図２】一般の多芯導線における各導体端部分が分散するために、周知の補助ケースにおける導引孔への挿入が困難である状態を示す図である。
【図３】本考案の第一実施形態における関連する端子装置と組み合わせる前の構造を示す図である。
【図４】本考案の第一実施形態の上視図である。
【図５】本考案の第一実施形態における尾部の構造を示す図である。
【図６】本考案の第一実施形態における多芯導線を導引孔内に挿入する際の動作を示す図である。
【図７】本考案の第一実施形態における多芯導線を導引孔内に挿入した状態を示す図である。
【図８】本考案の第二実施形態における関連する端子装置と組み合わせる前の構造を示す図である。
【図９】本考案の第三実施形態における関連する端子装置と組み合わせる前の構造を示す図である。
【図１０】もう一方の側から図９を見た場合の構造を示す図である。
【図１１】図１０が組み合わされた状態を示す図である。
【図１２】本考案の第四実施形態の構造を示す図である。
【図１３】本考案の第五実施形態の構造を示す図である。
【図１４】本考案の第六実施形態の構造を示す図である。
【図１５】本考案の第七実施形態の分解構造図である。
【図１６】本考案の第八実施形態の分解を示す図である。
【図１７】本考案の第九実施形態の構造を示す図である。
【図１８】本考案の第九実施形態の応用例を示す図である。
【図１９】本考案の第十実施形態の構造を示す図である。
【図２０】本考案の第十実施形態における多芯導線を導引孔内に挿入する際の動作を示す図である。
【図２１】本考案の第十実施形態における多芯導線を導引孔内に挿入した状態を示す図である。
【図２２】本考案の第十実施形態の応用例を示す図である。
【図２３】本考案の第十一実施形態における関連する端子装置と組み合わせる前の構造を示す図である。
【図２４】本考案の第十一実施形態の応用例を示す図である。
【図２５】本考案の第十二実施形態における関連する端子装置と組み合わせる前の構造を示す図である。
【図２６】本考案の第十三実施形態における関連する端子装置と組み合わせる前の構造を示す図である。
【図２７】本考案の第十四実施形態の構造を示す図である。
【図２８】本考案の第十五実施形態の構造を示す図である。
【図２９】本考案の第十六実施形態の構造を示す図である。
【図３０】本考案の第十七実施形態の構造を示す図である。
【図３１】本考案の第十八実施形態の構造を示す図である。
【図３２】本考案の第十九実施形態の構造を示す図である。
【考案を実施するための形態】
【００２３】
図３乃至図７を参照して分かるように、本考案の第一実施形態における構造は少なくとも一つの補助ケース１を含む。補助ケース１はゴムやプラスチック、またはこれらに類似する材質で製成できる。補助ケース１内部には貫通式の導引孔１５が設けられ、且つ補助ケース１は導引孔１５の一端の部分的な傍側において集線部１４を凸設する。集線部１４の導引孔１５に向く側は、導引孔１５と連通する凹導槽１４１を凹設する。
【００２４】
補助ケース１は、その両端に位置する頭部１１と、尾部１３と、頭部１１及び尾部１３を連接する中間部１２とを備える。頭部１１の外周縁は傍側に向かって拡張することで、中間部１２の断面積より大きい断面積を有する。尾部１３は中間部１２より凸出し、且つ中間部１２は尾部１３の断面積より大きい断面積を有する。尾部１３は、導引孔１５の周辺区域に位置する二つの側辺１３１を有し、二つの側辺１３１の間においてノッチ１３２を定義する。導引孔１５の中間部１２と尾部１３とが連接する区域は内縮する錐状構造を形成する。
【００２５】
本考案の好ましい一実施形態において、凹導槽１４１は、傍側に比較的大きな曲率の半径を有する二つの外弧槽１４１１から、比較的小さな曲率の半径の内弧槽１４１２を、中間底面に向かって徐々に形成し、これにより、多芯導線９における分散する導体端部９１の構造を外側から内側に向かって収束することができる。
【００２６】
実際の応用において、補助ケース１は、凹導槽１４１を有する側が、あらかじめ設置される端子装置８（開閉端子または接続端子とすることができる）の両サイドの方向を向くことで、尾部１３及び中間部１２を端子装置８の入線孔８１内に装着し、頭部１１により入線孔８１上に押蓋することで定位を形成する。本実施形態において、端子装置８の各辺側には二つの入線孔８１が設けられ、このため二つの補助ケース１を並列して設置することができ、故に頭部１１の相互連接により補助ケースモジュール１０の組み合わせ構造が形成されることになる。但し他の応用形態では、補助ケース１を単独で実施する、或いは補助ケースモジュール１０が二個以上の補助ケース１により構成されるものとして実施を行うことができる。
【００２７】
使用時には、多芯導線９における分散する導体端部９１を、集線部１４の凹導槽１４１内に横向きに伸入させ、外弧槽１４１１を通じて分散する導体端部９１を内弧槽１４１２へと徐々に導引して収束状態を形成し（図６参照）、更に多芯導線９を導引孔１５内に押入し、導引孔１５内の中間部１２が尾部１３と連接する部分の内縮錐状構造を通じて、導体端部９１を導引して端子装置８の入線孔８１内に挿入し（図７参照）、且つ端子装置８内にあらかじめ設置される導電パーツ（図示していない）と電気的接続を形成することができる。
【００２８】
上述の構造において、頭部１１は端子装置８の中間部位の方向に向いて、横向きに凸伸する側凸部１１２を有する。側凸部１１２の中間部１２に近接する側には下斜面１１２１が設けられ、下斜面１１２１により側凸部１１２と端子装置８の入線孔８１の傍側の表面との間に間隙が形成されるので、故にドライバー等の工具を挿入して補助ケース１を持ち上げて、端子装置８の入線孔８１から離脱させることができる。又、頭部１１の側凸部１１２から離れた側には、中間部１２に向かって開口する凹ノッチ１１１が設けられる。凹ノッチ１１１も、ドライバー等の工具を挿入して補助ケース１を持ち上げて、端子装置８の入線孔８１から離脱させる用に供する。
【００２９】
図８を参照して分かるように、本考案の第二実施形態における構造は少なくとも一つの補助ケース１ａを含む。補助ケース１ａは集線部１４ａ、及び前述の第一実施形態と同様の頭部１１、中間部１２、尾部１３及び導引孔１５等の構造を有する。そのうち、集線部１４ａは前記集線部１４と相似する凹導槽１４１の構造を有し、且つ集線部１４と同様の方式で頭部１１上に設置されるが、その唯一の差異は、集線部１４ａが凹導槽１４１（導引孔１５）から離れた側に、文字ナンバリングモジュール１６１ａを有する標示面１６ａが設けられることである。
【００３０】
本実施形態において、二つの補助ケース１ａは、前述の第一実施形態と同様の方式で補助ケースモジュール１０ａへと組立てることができる。且つ標示面１６ａは、二つの集線部１４ａの各凹導槽１４１（導引孔１５）から離れた側において共同で設置される。文字ナンバリングモジュール１６１ａは、標示面１６ａ上に直接プリントされる文字ナンバリング１６２ａである。
【００３１】
図９乃至図１１を参照して分かるように、本考案の第三実施形態における構造は少なくとも一つの補助ケース１ｂを含む。補助ケース１ｂは集線部１４ｂ、及び前述の第一実施形態と同様の頭部１１、中間部１２、尾部１３及び導引孔１５等の構造を有する。そのうち、集線部１４ｂは前記集線部１４と相似する凹導槽１４１の構造を有し、且つ集線部１４と同様の方式で頭部１１上に設置されるが、その唯一の差異は、集線部１４ｂの凹導槽１４１（導引孔１５）から離れた側に標示面１６ｂを備えることで、文字ナンバリングモジュール１６２ｂを組み合わせて接続できることである。
【００３２】
本実施形態において、二つの補助ケース１ｂは、前述の第一実施形態と同様の方式で補助ケースモジュール１０ｂへと組立てることができる。且つ標示面１６ｂは、集線部１４ｂの各凹導槽１４１（導引孔１５）から離れた側において共同で設置される。標示面１６ｂは相対する両側にそれぞれ導滑槽１６１ｂを備え、文字ナンバリングモジュール１６２ｂは、文字ナンバリング１６４ｂがプリントされる標示板１６３ｂであり、且つ標示板１６３ｂは両側がそれぞれ二つの導滑槽１６１ｂ内に伸入して定位を形成する。これにより取り出し交換が可能なナンバリングの構造を形成し、異なる使用ニーズと変化に対応できる。
【００３３】
図１２を参照して分かるように、本考案の第四実施形態における構造は少なくとも一つの補助ケース１ｃを含む。補助ケース１ｃは前述の第一実施形態と同様の頭部１１、中間部１２、尾部１３、集線部１４及び導引孔１５等の構造を有する。その唯一の差異は、頭部１１の凹導槽１４１（導引孔１５）から離れた側において側翼部１１ｃを横設し、側翼部１１ｃの脇においてサイド文字ナンバリングモジュール１１２ｃを有するサイド標示面１１１ｃを備えることである。
【００３４】
本実施形態において、二つの補助ケース１ｃは、前述の第一実施形態と同様の方式で補助ケースモジュール１０ｃへと組み合わせることができる。且つ側翼部１１ｃは、二つの集線部１４ｃの各凹導槽１４１（導引孔１５）から離れた側において共同で設置される。サイド文字ナンバリングモジュール１１２ｃは、直接サイド標示面１１１ｃ上にプリントされる文字ナンバリング１１３ｃである。
【００３５】
図１３を参照して分かるように、本考案の第五実施形態における構造は少なくとも一つの補助ケース１ｄを含む。補助ケース１ｄは前述の第一実施形態と同様の頭部１１、中間部１２、尾部１３、集線部１４及び導引孔１５等の構造を有する。その唯一の差異は、頭部１１が凹導槽１４１（導引孔１５）に向く側において側翼部１１ｄを横設し、側翼部１１ｄの脇においてサイド文字ナンバリングモジュール１１２ｄを有するサイド標示面１１１ｄを備えることである。
【００３６】
本実施形態において、二つの補助ケース１ｄは、前述の第一実施形態と同様の方式で補助ケースモジュール１０ｄへと組立てることができる。且つ側翼部１１ｄは、二つの頭部１１の各凹導槽１４１（導引孔１５）に向く側において共同で設置される。サイド文字ナンバリングモジュール１１２ｄは、直接サイド標示面１１１ｄ上にプリントされる文字ナンバリング１１３ｄである。
【００３７】
図１４を参照して分かるように、本考案の第六実施形態における構造は主に並列する二つの補助ケースモジュール１０ｄを含む。二つの補助ケースモジュール１０ｄはそれぞれ凹導槽１４１（導引孔１５）から離れた側により相対して設置され、且つ連接部１００ｄにより二つの補助ケースモジュール１０ｄの頭部１１の間が連接され、これにより二つの補助ケースモジュール１０ｄが連接部１００ｄを通じて一体に結合される。
【００３８】
実際の応用において、連接部１００ｄに類似する構造を利用して、同様の方式により図１２に示す第四実施形態の二つの補助ケースモジュール１０ｃを一体に結合することもできる。
【００３９】
図１５を参照して分かるように、本考案の第七実施形態における構造は少なくとも一つの補助ケース１ｅを含む。補助ケース１ｅは前述の第一実施形態と同様の頭部１１、中間部１２、尾部１３、集線部１４及び導引孔１５等の構造を有する。その唯一の差異は、頭部１１の凹導槽１４１（導引孔１５）から離れた側において側翼部１１ｅを横設し、側翼部１１ｅの脇においてサイド文字ナンバリングモジュール１１３ｅを有するサイド標示面１１１ｅを備えることである。
【００４０】
本実施形態において、二つの補助ケース１ｅは、前述の第一実施形態と同様の方式で補助ケースモジュール１０ｅへと組立てることができる。且つ側翼部１１ｅは、二つの頭部１１の各凹導槽１４１（導引孔１５）から離れた側において共同で設置される。サイド標示面１１１ｅは相対する両側にそれぞれサイド導滑槽１１２ｅを備え、サイド文字ナンバリングモジュール１１３ｅは、文字ナンバリング１１５ｅがプリントされるサイド標示板１１４ｅであり、且つサイド標示板１１４ｅは両側がそれぞれ二つのサイド導滑槽１１２ｅ内に伸入して定位を形成する。これにより取り出し交換が可能なナンバリングの構造を形成する。
【００４１】
図１６を参照して分かるように、本考案の第八実施形態における構造は少なくとも一つの補助ケース１ｆを含む。補助ケース１ｆは前述の第一実施形態と同様の頭部１１、中間部１２、尾部１３、集線部１４及び導引孔１５等の構造を有する。その唯一の差異は、頭部１１が凹導槽１４１（導引孔１５）の側に向かって側翼部１１ｆを横設し、側翼部１１ｆの脇においてサイド文字ナンバリングモジュール１１３ｆを有するサイド標示面１１１ｆを備えることである。
【００４２】
本実施形態において、二つの補助ケース１ｆは、前述の第一実施形態と同様の方式で補助ケースモジュール１０ｆへと組立てることができる。且つ側翼部１１ｆは、二つの頭部１１の各凹導槽１４１（導引孔１５）に向く側において共同で設置される。サイド標示面１１１ｆは相対する両側にそれぞれサイド導滑槽１１２ｆを備え、サイド文字ナンバリングモジュール１１３ｆは、文字ナンバリング１１５ｆがプリントされるサイド標示板１１４ｆであり、且つサイド標示板１１４ｆは両側がそれぞれ二つのサイド導滑槽１１２ｆ内に伸入して定位を形成する。これにより取り出し交換が可能なナンバリングの構造を形成する。
【００４３】
図１７及び図１８を参照して分かるように、本考案の第九実施形態における構造は主に並列する二つの補助ケースモジュール１０ｆを含む。二つの補助ケースモジュール１０ｆはそれぞれ凹導槽１４１（導引孔１５）から離れた側により相対して設置され、且つ連接部１００ｆにより二つの補助ケースモジュール１０ｆの頭部１１の間が連接され、これにより二つの補助ケースモジュール１０ｆが連接部１００ｆを通じて一体に結合される。且つ各補助ケースモジュール１０ｆは、相隣する複数組の入線孔を有する端子装置８０内部へと同時に組立てられる。
【００４４】
実際の応用において、連接部１００ｆに類似する構造を利用して、同様の方式により図１５に示す第七実施形態の二つの補助ケースモジュール１０ｅを一体に結合することもできる。
【００４５】
図１９乃至図２２を参照して分かるように、本考案の第十実施形態における構造は少なくとも一つの補助ケース２を含む。補助ケース２は頭部２１、中間部２２、尾部２３、集線部２４及び導引孔２５等の構造を有する。そのうち中間部２２は頭部２１と尾部２３とを連接し、集線部２４は頭部２１の中間部２２から離れた側に設置される。中間部２２、尾部２３、導引孔２５は前述の第一実施形態における中間部１２、尾部１３、及び導引孔１５と同様の構造を有する。集線部２４は前記凹導槽１４１と相似する凹導槽２４１の構造を有し、且つ集線部２４の頭部２１（導引孔２５）から離れた一端において凹部２４２を備える。本実施形態において凹部２４２を設置する数量と導引孔２５の数量は同様である。
【００４６】
上述の構造において、頭部２１は凹導槽２４１の方向に向いて、且つ中間部２２に近接する側の側縁において凹ノッチ２１１を有する。凹ノッチ２１１は工具を挿入して補助ケース２を持ち上げる用に供する。頭部２１の凹ノッチ２１１から離れた側には横向きに凸伸する側凸部２１２を備え、側凸部２１２の中間部２２に近接する側には下斜面２１２１が設けられる。下斜面２１２１により側凸部２１２と端子装置８の入線孔８１の傍側の表面との間に間隙が形成されるので、故にドライバー等の工具を挿入して補助ケース２を持ち上げる。
【００４７】
本実施形態において、補助ケース２は、凹導槽２４１を有する側が、あらかじめ設置される端子装置８の両サイドの方向を向くことで、尾部２３及び中間部２２を端子装置８の入線孔８１内に装着し、頭部２１により入線孔８１上に押蓋することで定位を形成する。本実施形態において、端子装置８の各辺側には二つの入線孔８１が設けられ、このため二つの補助ケース２を頭部２１の相互連接により補助ケースモジュール２０の構造形態へと形成する。但し他の応用形態では、補助ケース２を単独で実施する、或いは補助ケースモジュール２０が二個以上の補助ケース２により構成されるものとして実施を行うことができる。
【００４８】
使用時には、多芯導線９における分散する導体端部９１を、集線部２４の凹導槽２４１内に横向きに伸入させ、凹導槽２４１を通じて分散する各導体端部９１を収束し（図２０参照）、更に多芯導線９を導引孔２５内に押入し、導体端部９１を端子装置８の入線孔８１内に挿入し（図２１参照）、且つ端子装置８内にあらかじめ設置される導電片（図示していない）と電気的接続を形成することができる。最後に、多芯導線９を端子装置８の中間部位の方向に向けて湾折し、側で対応する凹部２４２内に嵌入して（図２２参照）定位を形成することができる。
【００４９】
図２３及び図２４を参照して分かるように、本考案の第十一実施形態における構造は少なくとも一つの補助ケース２ａを含む。補助ケース２ａは前述の第十実施形態と同様の頭部２１、中間部２２、尾部２３、集線部２４及び導引孔２５等の構造を有する。そのうち補助ケース２ａと前記補助ケース２との差異は、補助ケース２ａの頭部２１は凹導槽２４１の方向に向いて、横向きに凸伸する側凸部２１２ａを備え、側凸部２１２ａの中間部２２に向く側には下斜面２１２１ａが設けられる。頭部２１の側凸部２１２ａから離れた側には凹ノッチ２１１ａが設けられ、側凸部２１２ａ及び凹ノッチ２１１ａの効果は前述の側凸部２１２及び凹ノッチ２１１のものと同様なので、ここでは詳述しない。
【００５０】
上述の構造において、二つの補助ケース２ａは前述の第十実施形態と同様の方式により補助ケースモジュール２０ａへと組み合わせられ、且つ補助ケースモジュール２０ａは、各補助ケース２ａが側凸部２１２ａを有する側が端子装置８の中央部位方向を向くことで、尾部２３及び中間部２２を端子装置８の入線孔８１内に装着する。故に多芯導線９における導体端部９１を凹導槽２４１により収束し、且つ端子装置８の入線孔８１内に挿入し、その後、多芯導線９を端子装置８の両サイドに向けて湾折し、側で対応する凹部２４２内に嵌入して（図２４参照）定位を形成することができる。
【００５１】
図２５を参照して分かるように、本考案の第十二実施形態における構造は少なくとも一つの補助ケース２ｂを含む。補助ケース２ｂは集線部２４ｂ、及び前述の第十実施形態と同様の頭部２１、中間部２２、尾部２３及び導引孔２５等の構造を有する。そのうち集線部２４ｂは集線部２４と相似する凹導槽２４１及び凹部２４２等の構造を有し、且つ集線部２４と同様の方式で頭部２１上に設置される。その差異は、集線部２４ｂの凹導槽２４１（導引孔２５）と離れた側に、文字ナンバリングモジュール２６１ｂを有する標示面２６ｂが設けられることである。
【００５２】
本実施形態において、二つの補助ケース２ｂは前述の第十実施形態と同様の方式により補助ケースモジュール２０ｂへと組み合わせられ、且つ標示面２６ｂは二つの集線部２４ｂの凹導槽２４１（導引孔２５）と離れた側に共同で設置される。文字ナンバリングモジュール２６１ｂは、標示面２６ｂ上に直接プリントされる文字ナンバリング２６２ｂである。
【００５３】
図２６を参照して分かるように、本考案の第十三実施形態における構造は少なくとも一つの補助ケース２ｃを含む。補助ケース２ｃは集線部２４ｃ、及び前述の第十実施形態と同様の頭部２１、中間部２２、尾部２３及び導引孔２５等の構造を有する。そのうち集線部２４ｃは集線部２４と相似する凹導槽２４１及び凹部２４２等の構造を有し、且つ集線部２４と同様の方式で頭部２１上に設置される。その差異は、集線部２４ｃの凹導槽２４１（導引孔２５）と離れた側に標示面２６ｃを備えることで、文字ナンバリングモジュール２６２ｃを組み合わせて接続できることである。
【００５４】
本実施形態において、二つの補助ケース２ｃは前述の第十実施形態と同様の方式により補助ケースモジュール２０ｃへと組み合わせられ、且つ標示面２６ｃは二つの集線部２４ｃの凹導槽２４１（導引孔２５）と離れた側に共同で設置される。標示面２６ｃは相対する両側にそれぞれ導滑槽２６１ｃを備え、文字ナンバリングモジュール２６２ｃは、文字ナンバリング２６４ｃがプリントされる標示板２６３ｃであり、且つ標示板２６３ｃは両側がそれぞれ二つの導滑槽２６１ｃ内に伸入して定位を形成する。これにより取り出し交換が可能なナンバリングの構造を形成する。
【００５５】
図２７を参照して分かるように、本考案の第十四実施形態における構造は少なくとも一つの補助ケース２ｄを含む。補助ケース２ｄは前述の第十実施形態と同様の頭部２１、中間部２２、尾部２３、集線部２４及び導引孔２５等の構造を有する。その差異は、頭部２１の凹導槽２４１（導引孔２５）から離れた側において側翼部２１ｄを横設し、側翼部２１ｄの脇においてサイド文字ナンバリングモジュール２１２ｄを有するサイド標示面２１１ｄを備えることである。
【００５６】
本実施形態において、二つの補助ケース２ｄは、前述の第十実施形態と同様の方式で補助ケースモジュール２０ｄへと組み合わせることができる。且つ側翼部２１ｄは、二つの頭部２１の凹導槽２４１（導引孔２５）から離れた側において共同で設置される。サイド文字ナンバリングモジュール２１２ｄは、直接サイド標示面２１１ｄ上にプリントされる文字ナンバリング２１３ｄである。
【００５７】
図２８を参照して分かるように、本考案の第十五実施形態における構造は少なくとも一つの補助ケース２ｅを含む。補助ケース２ｅは前述の第十実施形態と同様の頭部２１、中間部２２、尾部２３、集線部２４及び導引孔２５等の構造を有する。その差異は、頭部２１の凹導槽２４１（導引孔２５）に近接する側において側翼部２１ｅを横設し、側翼部２１ｅの脇においてサイド文字ナンバリングモジュール２１２ｅを有するサイド標示面２１１ｅを備えることである。
【００５８】
本実施形態において、二つの補助ケース２ｅは、前述の第十実施形態と同様の方式で補助ケースモジュール２０ｅへと組み合わせることができる。且つ側翼部２１ｅは、二つの頭部２１の凹導槽２４１（導引孔２５）に近接する側において共同で設置される。サイド文字ナンバリングモジュール２１２ｅは、直接サイド標示面２１１ｅ上にプリントされる文字ナンバリング２１３ｅである。
【００５９】
図２９を参照して分かるように、本考案の第十六実施形態における構造は主に並列する二つの補助ケースモジュール２０ｅを含む。二つの補助ケースモジュール２０ｅはそれぞれ凹導槽２４１（導引孔２５）から離れた側により相対して設置され、且つ連接部２００ｅにより二つの補助ケースモジュール２０ｅの頭部２１の間が連接され、これにより二つの補助ケースモジュール２０ｅが連接部２００ｅを通じて一体に結合される。
【００６０】
実際の応用において、連接部２００ｅに類似する構造を利用して、同様の方式により図２７に示す第十四実施形態の二つの補助ケースモジュール２０ｄを一体に結合することもできる。
【００６１】
図３０を参照して分かるように、本考案の第十七実施形態における構造は少なくとも一つの補助ケース２ｆを含む。補助ケース２ｆは前述の第十実施形態と同様の頭部２１、中間部２２、尾部２３、集線部２４及び導引孔２５等の構造を有する。その差異は、頭部２１の凹導槽２４１（導引孔２５）から離れた側において側翼部２１ｆを横設し、側翼部２１ｆの脇においてサイド文字ナンバリングモジュール２１３ｆを有するサイド標示面２１１ｆを備えることである。
【００６２】
本実施形態において、二つの補助ケース２ｆは、前述の第十実施形態と同様の方式で補助ケースモジュール２０ｆへと組立てることができる。且つ側翼部２１ｆは、二つの頭部２１の凹導槽２４１（導引孔２５）から離れた側において共同で設置される。サイド標示面２１１ｆは相対する両側にそれぞれサイド導滑槽２１２ｆを備え、サイド文字ナンバリングモジュール２１３ｆは、文字ナンバリング２１５ｆがプリントされるサイド標示板２１４ｆであり、且つサイド標示板２１４ｆは両側がそれぞれ二つのサイド導滑槽２１２ｆ内に伸入して定位を形成する。これにより取り出し交換が可能なナンバリングの構造を形成する。
【００６３】
図３１を参照して分かるように、本考案の第十八実施形態における構造は少なくとも一つの補助ケース２ｇを含む。補助ケース２ｇは前述の第十実施形態と同様の頭部２１、中間部２２、尾部２３、集線部２４及び導引孔２５等の構造を有する。その差異は、頭部２１が凹導槽２４１（導引孔２５）に近接する側に向かって側翼部２１ｇを横設し、側翼部２１ｇの脇においてサイド文字ナンバリングモジュール２１３ｇを有するサイド標示面２１１ｇを備えることである。
【００６４】
本実施形態において、二つの補助ケース２ｇは、前述の第十実施形態と同様の方式で補助ケースモジュール２０ｇへと組立てることができる。且つ側翼部２１ｇは、二つの頭部２１の凹導槽２４１（導引孔２５）に近接する側において共同で設置される。サイド標示面２１１ｇは相対する両側にそれぞれサイド導滑槽２１２ｇを備え、サイド文字ナンバリングモジュール２１３ｇは、文字ナンバリング２１５ｇがプリントされるサイド標示板２１４ｇであり、且つサイド標示板２１４ｇは両側がそれぞれ二つのサイド導滑槽２１２ｇ内に伸入して定位を形成する。これにより取り出し交換が可能なナンバリングの構造を形成する。
【００６５】
図３２を参照して分かるように、本考案の第十九実施形態における構造は主に並列する二つの補助ケースモジュール２０ｇを含む。二つの補助ケースモジュール２０ｇはそれぞれ凹導槽２４１（導引孔２５）から離れた側により相対して設置され、且つ連接部２００ｇにより二つの補助ケースモジュール２０ｇの頭部２１の間が連接され、これにより二つの補助ケースモジュール２０ｇが連接部２００ｇを通じて一体に結合される。
【００６６】
実際の応用において、連接部２００ｇに類似する構造を利用して、同様の方式により図３０に示す第十七実施形態の二つの補助ケースモジュール２０ｆを一体に結合することもできる。
【００６７】
以上をまとめると、本考案による接続端子の挿線用補助ケース構造は、多芯導線の束合の容易性、及び端子における入線孔内への装着のしやすさといった効果を達成するため、実用新案登録の要件を満たしている。上述した内容は本考案の好ましい実施形態を説明したのみであり、本考案は当業者であれば諸般の修飾が可能であるが、いずれも後付の実用新案登録請求の範囲の保護範囲に含まれる。
【符号の説明】
【００６８】
１、１ａ、１ｂ、１ｃ、１ｄ、１ｅ、１ｆ、２、２ａ、２ｂ、２ｃ、２ｄ、２ｅ、２ｆ、２ｇ、７  補助ケース
１０、１０ａ、１０ｂ、１０ｃ、１０ｄ、１０ｅ、１０ｆ、２０、２０ａ、２０ｂ、２０ｃ、２０ｄ、２０ｅ、２０ｆ、２０ｇ  補助ケースモジュール
１１、２１、７１  頭部
１１１、２１１、２１１ａ  凹ノッチ
１１１ｃ、１１１ｄ、１１１ｅ、１１１ｆ、２１１ｄ、２１１ｅ、２１１ｆ、２１１ｇ  サイド標示面
１１２、２１２、２１２ａ  側凸部
１１２１、２１２１、２１２１ａ  下斜面
１１２ｃ、１１２ｄ、１１３ｅ、１１３ｆ、２１２ｄ、２１２ｅ、２１３ｆ、２１３ｇ  サイド文字ナンバリングモジュール
１１２ｅ、１１２ｆ、２１２ｆ、２１２ｇ  サイド導滑槽
１１４ｅ、１１４ｆ、２１４ｆ、２１４ｇ  サイド標示板
１２、２２、７２  中間部
１３、２３、７３  尾部
１３１  側辺
１３２  ノッチ
１４、１４ａ、１４ｂ、２４、２４ｂ、２４ｃ  集線部
１４１、２４１  凹導槽
１４１１  外弧槽
１４１２  内弧槽
１６ａ、１６ｂ、２６ｂ、２６ｃ  標示面
１６１ａ、１６２ｂ、２６１ｂ、２６２ｃ  文字ナンバリングモジュール
１１３ｃ、１１３ｄ、１１５ｅ、１１５ｆ、１６２ａ、１６４ｂ、２１３ｄ、２１３ｅ、２１５ｆ、２１５ｇ、２６２ｂ、２６４ｃ  文字ナンバリング
１５、２５、７５  導引孔
１６１ｂ、２６１ｃ  導滑槽
１６３ｂ、２６３ｃ  標示板
２４２  凹部
１１ｃ、１１ｄ、１１ｅ、１１ｆ、２１ｄ、２１ｅ、２１ｆ、２１ｇ  側翼部
１００ｄ、１００ｆ、２００ｅ、２００ｇ  連接部
８、８０  端子装置
８１  入線孔
９  導線
９１  導体端部
【図１】
0003225464.tif 000003
【図２】
0003225464.tif 000004
【図３】
0003225464.tif 000005
【図４】
0003225464.tif 000006
【図５】
0003225464.tif 000007
【図６】
0003225464.tif 000008
【図７】
0003225464.tif 000009
【図８】
0003225464.tif 000010
【図９】
0003225464.tif 000011
【図１０】
0003225464.tif 000012
【図１１】
0003225464.tif 000013
【図１２】
0003225464.tif 000014
【図１３】
0003225464.tif 000015
【図１４】
0003225464.tif 000016
【図１５】
0003225464.tif 000017
【図１６】
0003225464.tif 000018
【図１７】
0003225464.tif 000019
【図１８】
0003225464.tif 000020
【図１９】
0003225464.tif 000021
【図２０】
0003225464.tif 000022
【図２１】
0003225464.tif 000023
【図２２】
0003225464.tif 000024
【図２３】
0003225464.tif 000025
【図２４】
0003225464.tif 000026
【図２５】
0003225464.tif 000027
【図２６】
0003225464.tif 000028
【図２７】
0003225464.tif 000029
【図２８】
0003225464.tif 000030
【図２９】
0003225464.tif 000031
【図３０】
0003225464.tif 000032
【図３１】
0003225464.tif 000033
【図３２】
0003225464.tif 000034
【手続補正書】
【提出日】令和2年1月15日(2020.1.15)
【手続補正１】
【補正対象書類名】実用新案登録請求の範囲
【補正対象項目名】全文
【補正方法】変更
【補正の内容】
【実用新案登録請求の範囲】
【請求項１】
接続端子の挿線用補助ケース構造であり、少なくとも一つの補助ケースモジュールを含み、前記補助ケースモジュールが少なくとも一つの補助ケースにより構成され、前記補助ケースの内部には貫通式の導引孔が設けられ、前記導引孔の一端の部分的な傍側には集線部が凸設され、前記集線部の前記導引孔に向く側には、前記導引孔と連通する凹導槽が凹設されることを特徴とする、接続端子の挿線用補助ケース構造。
【請求項２】
前記凹導槽が、サイドに比較的大きな曲率の半径を有する二つの外弧槽から、比較的小さな曲率の半径の内弧槽を、中間底面に向かって徐々に形成することを特徴とする、請求項１に記載の接続端子の挿線用補助ケース構造。
【請求項３】
前記集線部の前記導引孔から離れた一端において凹部が備えられることを特徴とする、請求項１に記載の接続端子の挿線用補助ケース構造。
【請求項４】
前記補助ケースが、両端に位置する頭部と、尾部と、前記頭部及び前記尾部を連接する中間部とを備え、前記導引孔において前記中間部と前記尾部とが連接する区域が内縮する錐状構造を形成し、前記尾部が前記中間部から凸出し、且つ前記中間部が前記尾部の断面積より大きい断面積を有し、前記尾部が、前記導引孔の周辺区域に位置する二つの側辺を有し、前記二つの側辺の間において一つのノッチ構造を定義し、前記補助ケースモジュールが複数の並列する前記補助ケースの設置により、前記頭部の相互連接を通じた組み合わせ構造を形成することを特徴とする、請求項１乃至３の何れかに記載の接続端子の挿線用補助ケース構造。
【請求項５】
前記頭部における前記中間部に向く側の辺縁には凹ノッチが設けられ、前記頭部が横向きに凸伸する側凸部を備え、前記側凸部の前記中間部に向く側には下斜面が設けられることを特徴とする、請求項４に記載の接続端子の挿線用補助ケース構造。
【請求項６】
前記集線部の前記凹導槽から離れた側において、文字ナンバリングモジュールを有する標示面が設けられ、前記文字ナンバリングモジュールが、前記標示面の上に直接プリントされる文字ナンバリングであることを特徴とする、請求項１乃至５の何れかに記載の接続端子の挿線用補助ケース構造。
【請求項７】
前記集線部の前記凹導槽から離れた側において、文字ナンバリングモジュールを有する標示面が設けられ、前記標示面の相対する両側がそれぞれ導滑槽を備え、前記文字ナンバリングモジュールが、文字ナンバリングがプリントされる標示板であり、前記標示板の両側がそれぞれ二つの前記導滑槽内に伸入することで定位を形成することを特徴とする、請求項請求項１乃至５の何れかに記載の接続端子の挿線用補助ケース構造。
【請求項８】
少なくとも二組の前記補助ケースモジュールを含み、各前記補助ケースモジュールの間に連接部が備えられ、前記連接部が各前記補助ケースモジュールにおける前記補助ケースの前記頭部を連接することを特徴とする、請求項６または７に記載の接続端子の挿線用補助ケース構造。
【請求項９】
前記頭部の傍側には少なくとも一つの側翼部が横設され、前記側翼部の少なくとも一つの脇には、文字ナンバリングモジュールを有する標示面が設けられ、前記文字ナンバリングモジュールが、前記標示面の上に直接プリントされる文字ナンバリングであることを特徴とする、請求項４または５に記載の接続端子の挿線用補助ケース構造。
【請求項１０】
前記頭部の傍側には少なくとも一つの側翼部が横設され、前記側翼部の少なくとも一つの脇には、文字ナンバリングモジュールを有する標示面が設けられ、前記標示面の相対する両側がそれぞれ導滑槽を備え、前記文字ナンバリングモジュールが、文字ナンバリングを有する標示板であり、且つ前記標示板の両側がそれぞれ二つの前記導滑槽に伸入することで定位を形成することを特徴とする、請求項４または５に記載の接続端子の挿線用補助ケース構造。
【手続補正２】
【補正対象書類名】明細書
【補正対象項目名】００３３
【補正方法】変更
【補正の内容】
【００３３】
図１２を参照して分かるように、本考案の第四実施形態における構造は少なくとも一つの補助ケース１ｃを含む。補助ケース１ｃは前述の第一実施形態と同様の頭部１１、中間部１２、尾部１３、集線部１４及び導引孔１５等の構造を有する。その唯一の差異は、頭部１１の凹導槽１４１（導引孔１５）から離れた側において側翼部１１ｃを横設し、側翼部１１ｃの脇において文字ナンバリングモジュール１１２ｃを有する標示面１１１ｃを備えることである。
【手続補正３】
【補正対象書類名】明細書
【補正対象項目名】００３４
【補正方法】変更
【補正の内容】
【００３４】
本実施形態において、二つの補助ケース１ｃは、前述の第一実施形態と同様の方式で補助ケースモジュール１０ｃへと組み合わせることができる。且つ側翼部１１ｃは、二つの集線部１４ｃの各凹導槽１４１（導引孔１５）から離れた側において共同で設置される。文字ナンバリングモジュール１１２ｃは、直接標示面１１１ｃ上にプリントされる文字ナンバリング１１３ｃである。
【手続補正４】
【補正対象書類名】明細書
【補正対象項目名】００３５
【補正方法】変更
【補正の内容】
【００３５】
図１３を参照して分かるように、本考案の第五実施形態における構造は少なくとも一つの補助ケース１ｄを含む。補助ケース１ｄは前述の第一実施形態と同様の頭部１１、中間部１２、尾部１３、集線部１４及び導引孔１５等の構造を有する。その唯一の差異は、頭部１１が凹導槽１４１（導引孔１５）に向く側において側翼部１１ｄを横設し、側翼部１１ｄの脇において文字ナンバリングモジュール１１２ｄを有する標示面１１１ｄを備えることである。
【手続補正５】
【補正対象書類名】明細書
【補正対象項目名】００３６
【補正方法】変更
【補正の内容】
【００３６】
本実施形態において、二つの補助ケース１ｄは、前述の第一実施形態と同様の方式で補助ケースモジュール１０ｄへと組立てることができる。且つ側翼部１１ｄは、二つの頭部１１の各凹導槽１４１（導引孔１５）に向く側において共同で設置される。文字ナンバリングモジュール１１２ｄは、直接標示面１１１ｄ上にプリントされる文字ナンバリング１１３ｄである。
【手続補正６】
【補正対象書類名】明細書
【補正対象項目名】００３９
【補正方法】変更
【補正の内容】
【００３９】
図１５を参照して分かるように、本考案の第七実施形態における構造は少なくとも一つの補助ケース１ｅを含む。補助ケース１ｅは前述の第一実施形態と同様の頭部１１、中間部１２、尾部１３、集線部１４及び導引孔１５等の構造を有する。その唯一の差異は、頭部１１の凹導槽１４１（導引孔１５）から離れた側において側翼部１１ｅを横設し、側翼部１１ｅの脇において文字ナンバリングモジュール１１３ｅを有する標示面１１１ｅを備えることである。
【手続補正７】
【補正対象書類名】明細書
【補正対象項目名】００４０
【補正方法】変更
【補正の内容】
【００４０】
本実施形態において、二つの補助ケース１ｅは、前述の第一実施形態と同様の方式で補助ケースモジュール１０ｅへと組立てることができる。且つ側翼部１１ｅは、二つの頭部１１の各凹導槽１４１（導引孔１５）から離れた側において共同で設置される。標示面１１１ｅは相対する両側にそれぞれ導滑槽１１２ｅを備え、文字ナンバリングモジュール１１３ｅは、文字ナンバリング１１５ｅがプリントされる標示板１１４ｅであり、且つ標示板１１４ｅは両側がそれぞれ二つの導滑槽１１２ｅ内に伸入して定位を形成する。これにより取り出し交換が可能なナンバリングの構造を形成する。
【手続補正８】
【補正対象書類名】明細書
【補正対象項目名】００４１
【補正方法】変更
【補正の内容】
【００４１】
図１６を参照して分かるように、本考案の第八実施形態における構造は少なくとも一つの補助ケース１ｆを含む。補助ケース１ｆは前述の第一実施形態と同様の頭部１１、中間部１２、尾部１３、集線部１４及び導引孔１５等の構造を有する。その唯一の差異は、頭部１１が凹導槽１４１（導引孔１５）の側に向かって側翼部１１ｆを横設し、側翼部１１ｆの脇において文字ナンバリングモジュール１１３ｆを有する標示面１１１ｆを備えることである。
【手続補正９】
【補正対象書類名】明細書
【補正対象項目名】００４２
【補正方法】変更
【補正の内容】
【００４２】
本実施形態において、二つの補助ケース１ｆは、前述の第一実施形態と同様の方式で補助ケースモジュール１０ｆへと組立てることができる。且つ側翼部１１ｆは、二つの頭部１１の各凹導槽１４１（導引孔１５）に向く側において共同で設置される。標示面１１１ｆは相対する両側にそれぞれ導滑槽１１２ｆを備え、文字ナンバリングモジュール１１３ｆは、文字ナンバリング１１５ｆがプリントされる標示板１１４ｆであり、且つ標示板１１４ｆは両側がそれぞれ二つの導滑槽１１２ｆ内に伸入して定位を形成する。これにより取り出し交換が可能なナンバリングの構造を形成する。
【手続補正１０】
【補正対象書類名】明細書
【補正対象項目名】００５５
【補正方法】変更
【補正の内容】
【００５５】
図２７を参照して分かるように、本考案の第十四実施形態における構造は少なくとも一つの補助ケース２ｄを含む。補助ケース２ｄは前述の第十実施形態と同様の頭部２１、中間部２２、尾部２３、集線部２４及び導引孔２５等の構造を有する。その差異は、頭部２１の凹導槽２４１（導引孔２５）から離れた側において側翼部２１ｄを横設し、側翼部２１ｄの脇において文字ナンバリングモジュール２１２ｄを有する標示面２１１ｄを備えることである。
【手続補正１１】
【補正対象書類名】明細書
【補正対象項目名】００５６
【補正方法】変更
【補正の内容】
【００５６】
本実施形態において、二つの補助ケース２ｄは、前述の第十実施形態と同様の方式で補助ケースモジュール２０ｄへと組み合わせることができる。且つ側翼部２１ｄは、二つの頭部２１の凹導槽２４１（導引孔２５）から離れた側において共同で設置される。文字ナンバリングモジュール２１２ｄは、直接標示面２１１ｄ上にプリントされる文字ナンバリング２１３ｄである。
【手続補正１２】
【補正対象書類名】明細書
【補正対象項目名】００５７
【補正方法】変更
【補正の内容】
【００５７】
図２８を参照して分かるように、本考案の第十五実施形態における構造は少なくとも一つの補助ケース２ｅを含む。補助ケース２ｅは前述の第十実施形態と同様の頭部２１、中間部２２、尾部２３、集線部２４及び導引孔２５等の構造を有する。その差異は、頭部２１の凹導槽２４１（導引孔２５）に近接する側において側翼部２１ｅを横設し、側翼部２１ｅの脇において文字ナンバリングモジュール２１２ｅを有する標示面２１１ｅを備えることである。
【手続補正１３】
【補正対象書類名】明細書
【補正対象項目名】００５８
【補正方法】変更
【補正の内容】
【００５８】
本実施形態において、二つの補助ケース２ｅは、前述の第十実施形態と同様の方式で補助ケースモジュール２０ｅへと組み合わせることができる。且つ側翼部２１ｅは、二つの頭部２１の凹導槽２４１（導引孔２５）に近接する側において共同で設置される。文字ナンバリングモジュール２１２ｅは、直接標示面２１１ｅ上にプリントされる文字ナンバリング２１３ｅである。
【手続補正１４】
【補正対象書類名】明細書
【補正対象項目名】００６１
【補正方法】変更
【補正の内容】
【００６１】
図３０を参照して分かるように、本考案の第十七実施形態における構造は少なくとも一つの補助ケース２ｆを含む。補助ケース２ｆは前述の第十実施形態と同様の頭部２１、中間部２２、尾部２３、集線部２４及び導引孔２５等の構造を有する。その差異は、頭部２１の凹導槽２４１（導引孔２５）から離れた側において側翼部２１ｆを横設し、側翼部２１ｆの脇において文字ナンバリングモジュール２１３ｆを有する標示面２１１ｆを備えることである。
【手続補正１５】
【補正対象書類名】明細書
【補正対象項目名】００６２
【補正方法】変更
【補正の内容】
【００６２】
本実施形態において、二つの補助ケース２ｆは、前述の第十実施形態と同様の方式で補助ケースモジュール２０ｆへと組立てることができる。且つ側翼部２１ｆは、二つの頭部２１の凹導槽２４１（導引孔２５）から離れた側において共同で設置される。標示面２１１ｆは相対する両側にそれぞれ導滑槽２１２ｆを備え、文字ナンバリングモジュール２１３ｆは、文字ナンバリング２１５ｆがプリントされる標示板２１４ｆであり、且つ標示板２１４ｆは両側がそれぞれ二つの導滑槽２１２ｆ内に伸入して定位を形成する。これにより取り出し交換が可能なナンバリングの構造を形成する。
【手続補正１６】
【補正対象書類名】明細書
【補正対象項目名】００６３
【補正方法】変更
【補正の内容】
【００６３】
図３１を参照して分かるように、本考案の第十八実施形態における構造は少なくとも一つの補助ケース２ｇを含む。補助ケース２ｇは前述の第十実施形態と同様の頭部２１、中間部２２、尾部２３、集線部２４及び導引孔２５等の構造を有する。その差異は、頭部２１が凹導槽２４１（導引孔２５）に近接する側に向かって側翼部２１ｇを横設し、側翼部２１ｇの脇において文字ナンバリングモジュール２１３ｇを有する標示面２１１ｇを備えることである。
【手続補正１７】
【補正対象書類名】明細書
【補正対象項目名】００６４
【補正方法】変更
【補正の内容】
【００６４】
本実施形態において、二つの補助ケース２ｇは、前述の第十実施形態と同様の方式で補助ケースモジュール２０ｇへと組立てることができる。且つ側翼部２１ｇは、二つの頭部２１の凹導槽２４１（導引孔２５）に近接する側において共同で設置される。標示面２１１ｇは相対する両側にそれぞれ導滑槽２１２ｇを備え、文字ナンバリングモジュール２１３ｇは、文字ナンバリング２１５ｇがプリントされる標示板２１４ｇであり、且つ標示板２１４ｇは両側がそれぞれ二つの導滑槽２１２ｇ内に伸入して定位を形成する。これにより取り出し交換が可能なナンバリングの構造を形成する。
【手続補正１８】
【補正対象書類名】明細書
【補正対象項目名】００６８
【補正方法】変更
【補正の内容】
【００６８】
１、１ａ、１ｂ、１ｃ、１ｄ、１ｅ、１ｆ、２、２ａ、２ｂ、２ｃ、２ｄ、２ｅ、２ｆ、
２ｇ、７  補助ケース
１０、１０ａ、１０ｂ、１０ｃ、１０ｄ、１０ｅ、１０ｆ、２０、２０ａ、２０ｂ、２０ｃ、２０ｄ、２０ｅ、２０ｆ、２０ｇ  補助ケースモジュール
１１、２１、７１  頭部
１１１、２１１、２１１ａ  凹ノッチ
１１２、２１２、２１２ａ  側凸部
１１２１、２１２１、２１２１ａ  下斜面
１２、２２、７２  中間部
１３、２３、７３  尾部
１３１ 側辺
１３２ ノッチ
１４、１４ａ、１４ｂ、２４、２４ｂ、２４ｃ  集線部
１４１、２４１  凹導槽
１４１１ 外弧槽
１４１２ 内弧槽
１１１ｃ、１１１ｄ、１１１ｅ、１１１ｆ、１６ａ、１６ｂ、２１１ｄ、２１１ｅ、２１１ｆ、２１１ｇ、２６ｂ、２６ｃ  標示面
１１２ｃ、１１２ｄ、１１３ｅ、１１３ｆ、１６１ａ、１６２ｂ、２１２ｄ、２１２ｅ、２１３ｆ、２１３ｇ、２６１ｂ、２６２ｃ  文字ナンバリングモジュール
１１３ｃ、１１３ｄ、１１５ｅ、１１５ｆ、１６２ａ、１６４ｂ、２１３ｄ、２１３ｅ、
２１５ｆ、２１５ｇ、２６２ｂ、２６４ｃ  文字ナンバリング
１５、２５、７５  導引孔
１１２ｅ、１１２ｆ、１６１ｂ、２１２ｆ、２１２ｇ、２６１ｃ  導滑槽
１１４ｅ、１１４ｆ、１６３ｂ、２１４ｆ、２１４ｇ、２６３ｃ  標示板
２４２  凹部
１１ｃ、１１ｄ、１１ｅ、１１ｆ、２１ｄ、２１ｅ、２１ｆ、２１ｇ  側翼部
１００ｄ、１００ｆ、２００ｅ、２００ｇ  連接部
８、８０  端子装置
８１  入線孔
９  導線
９１  導体端部